(57)【要約】      （修正有） 【課題】周縁部の強度を強化して曲がり、反りの発生を抑制することで、載置した電子装置が揺れ動いたり、ぶつかったり、擦り傷がついたり、押し圧を受けて損傷したりすることのない電子装置用トレイを提供する。【解決手段】電子装置用トレイ２は、ベース盤２１を具えてなり、ベース盤２１の中央に等間隔で配列された複数の凹溝２２が形成され、凹溝２２の左右にそれぞれ電子装置のタッチパネルを載置する収納溝２３、２４がそれぞれ形成され、ベース盤２１の周縁部に少なくとも１列の強化凹溝２５が形成される。【選択図】図２
0003204403.tif 000002
【実用新案登録請求の範囲】
【請求項１】
中央に等間隔で配列された複数の凹溝が形成され、これらの凹溝の左右に、電子装置のタッチパネルの製造工程において前記タッチパネルに対して加工時の移送や受け渡すために、前記タッチパネルの載置用収納溝がそれぞれ形成されるベース盤を備え、
前記ベース盤の各周縁の曲がりや反り、及び、前記タッチパネルを移送する時の揺り、衝撃、スクラッチ又はクラッシュを防止するために、前記各周縁に少なくとも１列の強化凹溝が形成されること特徴とする電子製品用トレイ。
【請求項２】
前記電子装置が、タブレットＰＣか、もしくはスマートフォンであることを特徴とする請求項１に記載の電子製品用トレイ。
【請求項３】
前記ベース盤が、ＰＶプラスチック材で一体に成形されることを特徴とする請求項１に記載の電子製品用トレイ。
【請求項４】
前記ベース盤の周縁部がある程度の厚みを持った厚さに形成されることを特徴とする請求項３に記載の電子製品用トレイ。
【考案の詳細な説明】
【技術分野】
【０００１】
この考案はトレイに関し、特に、電子装置の製造工程において部品を含む電子装置を載置する補助道具としての容器であって、それぞれの周縁部に複数の強化凹溝を形成し、使用時において、それぞれの周縁部において曲がり、反りの発生を抑制する電子装置用トレイの構造の改良に関する。
【背景技術】
【０００２】
従来の電子装置用トレイは、タブレットＰＣ、もしくはスマートフォンのタッチパネルに係るそれぞれの製造工程において、電子装置を載置するための補助道具として応用されている。即ち、製品の加工作業において、製品の転送、受け渡しに使用される。
【０００３】
図１に開示するように、従来の電子装置用トレイ１は、ベース盤１１を具え、ベース盤１１には、中央の位置に複数の凹溝１２を等間隔で配列し、かつ凹溝１２の左右両側には、電子装置のタッチパネル（図示しない）を載置する収納溝１３をそれぞれ形成してなり、製造工程において、タッチパネルをそれぞれの収納溝１３に載置して、加工する製品の転送、受け渡しを行う。
【０００４】
然しながら、従来の電子装置用トレイ１は、プラスチック材で一体に成形するため、それぞれの周縁部において強度が弱く、曲がり、反りが容易に発生する。このため、製品を載置して受け渡しを行う場合、揺れ動いたり、ぶつかったり、擦り傷がついたり、押し圧を受けて損傷したりするなどの好ましくない状況が発生し、極めて不便である。
【０００５】
上述するように、従来の電子装置用トレイには欠点が見られ、好ましい設計とは言えない。よって改良が望まれている。
【考案の概要】
【考案が解決しようとする課題】
【０００６】
この考案は、周縁部の強度を強化して曲がり、反りの発生を抑制することで、載置した電子装置が揺れ動いたり、ぶつかったり、擦り傷がついたり、押し圧を受けて損傷したりすることのない電子装置用トレイを提供することを課題とする。
【課題を解決するための手段】
【０００７】
そこで、本考案者は従来の電子装置用トレイに見られる欠点に鑑み鋭意研究を重ねた結果、ベース盤を具えてなり、該ベース盤の中央に等間隔で配列された複数の凹溝が形成され、該凹溝の左右にそれぞれ電子装置のタッチパネルを載置する収納溝がそれぞれ形成され、該ベース盤の周縁部に少なくとも1列の強化凹溝が形成された電子製品用トレイによって課題を解決でできる点に着眼し、係る知見に基づいて本考案を完成させた。
【０００８】
以下この考案について説明する。請求項１に記載する電子装置用トレイは、中央に等間隔で配列された複数の凹溝が形成され、該凹溝の左右にそれぞれ電子装置のタッチパネルを載置する収納溝がそれぞれ形成されたベース盤を具える電子製品用トレイであって、
該ベース盤の周縁部に少なくとも1列の強化凹溝が形成され、
該電子装置のタッチパネルの製造工程において、タッチパネルを該収納溝に積置して転送、受け渡しに供し、かつタッチパネルを載置して受け渡しを行う場合に揺れ動いたり、ぶつかったり、擦り傷がついたり、押し圧を受けて損傷したりするなどの好ましくない状況の発生を防ぐために該強化凹溝で該ベース盤の周縁部の強度を強化してなる。
【０００９】
請求項２に記載する電子装置用トレイは、請求項１における電子装置が、タブレットＰＣか、もしくはスマートフォンである。
【００１０】
請求項３に記載する電子装置用トレイは、請求項１におけるベース盤が、ＰＶプラスチック材で一体に成形される。
【００１１】
請求項４に記載する電子装置用トレイは、請求項３におけるベース盤の周縁部がある程度の厚みを持った厚さに形成される。
【考案の効果】
【００１２】
この考案による電子装置用トレイは、載置する電子装置のタッチパネルを製造工程において転送、受け渡しする場合に揺れ動いたり、ぶつかったり、擦り傷がついたり、押し圧を受けて損傷したりするなどの好ましくない状況を防ぐことができるため、製品の歩留まりを高め、製造コストを節減し、生産性を高めることができるという利便性を有する。
【図面の簡単な説明】
【００１３】
【図１】従来の電子装置用トレイを示した斜視図である。
【図２】この考案による電子装置用トレイを示した斜視図である。
【図３】この考案による電子装置用トレイを示した上面図である。
【図４Ａ】この考案による電子装置用トレイの局部を拡大した説明図である。
【図４Ｂ】この考案による電子装置用トレイの局部を拡大した他の説明図である。
【考案を実施するための形態】
【００１４】
この考案は、周縁部の強度を強化して曲がり、反りの発生を抑制することで、収納した電子装置が揺れ動いたり、ぶつかったり、擦り傷がついたり、押し圧を受けて損傷したりするこのない電子装置用トレイを提供するものであって、ベース盤を具えてなり、該ベース盤の中央に等間隔で配列された複数の凹溝が形成され、該凹溝の左右にそれぞれ電子装置のタッチパネルを載置する収納溝がそれぞれ形成され、該ベース盤の周縁部に少なくとも1列の強化凹溝が形成される。係る電子装置用トレイの構造と特徴を説明するために、具体的な実施例を挙げ、図面を参照にして今に詳述する。
【実施例】
【００１５】
図２、３に開示するように、この考案による電子装置用トレイ２は、ベース盤２１を具えてなり、ベース盤２１の中央には複数の凹溝２２を等間隔で配列する。
【００１６】
また、ベース盤２１の凹溝２２の左右には、電子装置（例えばタブレットＰＣ、又はスマートフォン）などのタッチパネル（図示しない）を載置する収納溝２３、２４をそれぞれ形成する。収納溝２３、２４には、タッチパネルの製造工程において加工を行う製品を載置して転送、受け渡しを行う。
【００１７】
また、ベース盤２１の周縁部には、強度を強化するための少なくとも１列以上の強化凹溝２５を形成する（図４Ａ、４Ｂに開示する）。このため、ベース盤２１の周縁部が曲がったり、反ったりすることがない。
【００１８】
電子装置用のトレイを上述の如く構成することによって、周縁部に強度を強化する複数の強化凹溝２５が形成され、このため電子装置用トレイ２を使用する場合、周縁部が曲がったり、反ったりすることがなく、揺れ動いたり、ぶつかったり、擦り傷がついたり、押し圧を受けて損傷したりするなどの好ましくない状況が発生することがない。
【００１９】
図２、３に開示するベース盤２１は、ＰＶプラスチック材で一体に成形する。
【００２０】
また、  図２、３に開示するベース盤２１は、周縁部がある程度の厚みを持った厚さに形成される。
【００２１】
この考案による電子装置用トレイは、従来の電子装置用トレイに比して、次に掲げる長所を有する。即ち、ベース盤２１の周縁部に少なくとも一列以上の強化凹溝２２を形成することによって強度が強化されている。さらに、ベース盤２１の周縁部が肉厚に形成されることによって周縁部に曲がり、反りが発生することなく、製品を載置して受け渡しを行う場合に、揺れ動いたり、ぶつかったり、擦り傷がついたり、押し圧を受けて損傷したりするなどの好ましくない状況が発生することがない。
【００２２】
以上をまとめると、この考案による電子装置用トレイは、従来の技術に見られなかった進歩性を具えた構造を有し、かつ係る構造は如何なる刊行物に記載されたことはなく、市場においても類似する如何なる製品も出回っていない。よって、新規性を具えることは疑うべくもなく、また、この考案の有する独特の特徴と、その効果は、従来の技術の及びものではない。即ち、確かな進歩性を有するものと言える。よって、ここに法に基づき実用新案登録出願を行う。
【００２３】
以上は、この考案の好ましい実施の形態であって、この考案の実施の範囲を限定するものではない。よって、当業の成し得る修正、もしくは変更であって、この考案の精神の下においてなされ、この考案に対して均等の効果を有するものは、いずれもこの考案の実用新案登録請求の範囲に含まれるものとする。
【符号の説明】
【００２４】
１         電子装置用トレイ
１１       ベース盤
１２       凹溝
１３       収納溝    
２         電子装置用トレイ
２１       ベース盤
２２       凹溝
２３       収納溝
２４       収納溝
２５       強化凹溝
【図１】
0003204403.tif 000003
【図２】
0003204403.tif 000004
【図３】
0003204403.tif 000005
【図４Ａ】
0003204403.tif 000006
【図４Ｂ】
0003204403.tif 000007